(57)【要約】【課題】  低消費電力モード移行後の通信に際して生じる通信エラーを抑制させるようにした通信システム、通信機器、通信方法及びプログラムを提供する。【解決手段】  第１の通信機器は、低消費電力モードへ移行すること示す移行通知を第２の通信機器に送信し、当該移行通知の送信後、インターバル時間の間、スリープ状態に遷移させ、インターバル時間経過後にアクティブ状態に遷移させる処理を繰り返し制御し、移行通知の送信後、移行確認通知を受信しなかった場合、再度、移行通知を送信する。第２の通信機器は、移行通知を受信した場合に、移行確認通知を第１の通信機器に対して送信する。【選択図】  図１
2010098495.tif 000002
【特許請求の範囲】
【請求項１】
アクティブ状態とスリープ状態とを有する低消費電力モードと、通常モードとを有する第１の通信機器と、第２の通信機器とを具備する通信システムであって、
前記第１の通信機器は、
前記低消費電力モードへ移行すること示す移行通知を前記第２の通信機器に送信する移行通知送信手段と、
前記移行通知送信手段により前記移行通知の送信後、インターバル時間の間、前記スリープ状態に遷移させ、該インターバル時間経過後に前記アクティブ状態に遷移させる処理を繰り返し制御するモード制御手段と
を具備し、
前記第２の通信機器は、
前記移行通知送信手段からの前記移行通知を受信した場合に、移行確認通知を前記第１の通信機器に対して送信する移行確認通知送信手段
を具備し、
前記移行通知送信手段は、
前記移行通知の送信後、前記移行確認通知を受信しなかった場合、再度、前記移行通知を送信する
ことを特徴とする通信システム。
【請求項２】
前記第１の通信機器は、
前記アクティブ状態時には前記第２の通信機器から前記移行確認通知を受信でき、前記スリープ状態時には前記第２の通信機器からの前記移行確認通知を受信できない
ことを特徴とする請求項１記載の通信システム。
【請求項３】
前記移行確認通知送信手段は、
前記移行通知送信手段からの前記移行通知を受信した場合に、前記インターバル時間を計時し、該インターバル時間経過後に前記移行確認通知を前記第１の通信機器に対して送信する
ことを特徴とする請求項１又は２記載の通信システム。
【請求項４】
前記インターバル時間は、
それぞれ時間の異なる第１のインターバル時間と第２のインターバル時間とを含み、
前記モード制御手段は、
前記移行確認通知を受信するまでは、前記第１のインターバル時間を用いて前記低消費電力モードにおける状態を制御し、前記移行確認通知を受信した後は、前記第２のインターバル時間を用いて前記低消費電力モードにおける状態を制御する
ことを特徴とする請求項１記載の通信システム。
【請求項５】
前記移行確認通知送信手段は、
前記移行通知を受信した場合に、前記第１のインターバル時間を計時し、該第１のインターバル時間経過後に前記移行確認通知を前記第１の通信機器に対して送信する
ことを特徴とする請求項４記載の通信システム。
【請求項６】
前記第１のインターバル時間は、前記第２のインターバル時間よりも短い
ことを特徴とする請求項４又は５いずれか１項に記載の通信システム。
【請求項７】
前記移行通知は、前記インターバル時間を含む
ことを特徴とする請求項１乃至６いずれか１項に記載の通信システム。
【請求項８】
前記第１の通信機器は、
前記アクティブ状態への遷移が所定回数に達しても前記移行確認通知を受信していない場合、前記低消費電力モードを中止又は前記第２の通信機器との通信を中止する
ことを特徴とする請求項１乃至７のいずれか１項に記載の通信システム。
【請求項９】
他の通信機器との間でデータを授受できるアクティブ状態と他の通信機器との間でデータを授受できないスリープ状態とを有する低消費電力モードと、通常モードとを有する通信機器であって、
前記低消費電力モードへ移行すること示す移行通知を他の通信機器に送信する移行通知送信手段と、
前記移行通知送信手段により前記移行通知の送信後、インターバル時間の間、前記スリープ状態に遷移させ、該インターバル時間経過後に前記アクティブ状態に遷移させる処理を繰り返し制御するモード制御手段と
を具備し、
前記移行通知送信手段は、
前記移行通知の送信後、前記他の通信機器から移行確認通知を受信しなかった場合、再度、前記移行通知を送信する
ことを特徴とする通信機器。
【請求項１０】
他の通信機器との間でデータを授受できるアクティブ状態と他の通信機器との間でデータを授受できないスリープ状態とを有する低消費電力モードと、通常モードとを有する通信機器の通信方法であって、
前記低消費電力モードへ移行すること示す移行通知を他の通信機器に送信する移行通知送信工程と、
前記移行通知送信工程で前記移行通知の送信後、インターバル時間の間、前記スリープ状態に遷移させ、該インターバル時間経過後に前記アクティブ状態に遷移させる処理を繰り返し制御するモード制御工程と
前記移行通知の送信後、前記他の通信機器から移行確認通知を受信しなかった場合、再度、前記移行通知を送信する再送信工程と
を含むことを特徴とする通信機器の通信方法。
【請求項１１】
他の通信機器との間でデータを授受できるアクティブ状態と他の通信機器との間でデータを授受できないスリープ状態とを有する低消費電力モードと、通常モードとを有する通信機器に内蔵されたコンピュータを、
前記低消費電力モードへ移行すること示す移行通知を他の通信機器に送信する移行通知送信手段、
前記移行通知送信手段により前記移行通知の送信後、インターバル時間の間、前記スリープ状態に遷移させ、該インターバル時間経過後に前記アクティブ状態に遷移させる処理を繰り返し制御するモード制御手段
前記移行通知の送信後、前記他の通信機器から移行確認通知を受信しなかった場合、再度、前記移行通知を送信する再送信手段
として機能させるためのプログラム。
【発明の詳細な説明】
【技術分野】
【０００１】
本発明は、通信システム、通信機器、通信方法及びプログラムに関する。
【背景技術】
【０００２】
モバイル機器の多くはバッテリーで動作しており、動作時間をなるべく伸ばすために消費電力を少なくする仕組みが組み込まれている。例えば、携帯電話機では常に、無線部の電源を入れているわけではなく、基地局の報知信号の周期にあわせて無線部の電源を間欠的に入れている。また、通信中であっても通信頻度が少ない期間は、無線部の電源を間欠的に入れている。これにより、携帯電話機は、消費電力を低減している。
【０００３】
無線ＬＡＮ（Local Area Network）のような多くの無線通信方式では、低消費電力モードへの移行の通知と相手からの確認とを受信した後、低消費電力モードに移行する（特許文献１参照）。しかし、図１０に示すように、相手からの確認を受信せずに、スリープ状態に移行し、低消費電力モードを実現する方式も知られている。
【０００４】
図１０は、通信機器Ａと通信機器Ｂとの間で無線部に間欠的に電源をいれることによって消費電力を低減する仕組みの一例を示すシーケンス図である。通信機器Ａは、通信頻度が少なくなると、通信機器Ｂに対して低消費電力モード移行通知Ｍ１００１を送信する。その後、通信機器Ａは、低消費電力モードに入る。低消費電力モードでは、スリープ状態とアクティブ状態とが一定周期毎に切り替えられる。スリープ状態では、通信機器Ａは、無線部を制御するＣＰＵの電力を低減し無線部に電源供給を行なわない。これに対して、アクティブ状態では、通信機器Ａは、通常電力で動作する。そのため、アクティブ状態において、通信機器Ａは、通信機器Ｂと通信を行なうことができるが、スリープ状態おいて、通信機器Ａは、通信機器Ｂと通信を行なえない。低消費電力モードにおいて、通信機器Ａから通信機器Ｂにデータを送信したい場合、通信機器Ａは、アクティブ状態になるまでにデータを保持しておき、アクティブ状態になった時点で通信機器Ｂに向けてデータを送信する。
【０００５】
また、通信機器Ｂは、通信機器Ａから低消費電力モード移行通知Ｍ１００１を受信すると、通信機器Ａが低消費電力状態に入ったことを認識する。通信機器Ｂでは、通信機器Ａのスリープ状態とアクティブ状態との周期を認識している。そのため、通信機器Ｂは、通信機器Ａに対してデータを送信したい場合は、通信機器Ａがアクティブ状態である期間にデータを送信する。
【特許文献１】特開２００６−０９３７８８号公報
【発明の開示】
【発明が解決しようとする課題】
【０００６】
しかし、従来の技術では依然として課題が残る。例えば、通信機器Ｂは、通信機器Ａからの低消費電力モード移行通知Ｍ１００１を何らかの理由で受信できなかった場合、通信機器Ａが低消費電力モードに入ったことを認識できない。その場合、通信機器Ａがスリープ状態の期間中にデータを送信してしまう可能性があり、両装置間における通信が成り立たない場合がある。
【０００７】
本発明は、上記課題に鑑みてなされたものであり、低消費電力モード移行後の通信に際して生じる通信エラーを抑制させるようにした通信システム、通信機器、通信方法及びプログラムを提供することを目的とする。
【課題を解決するための手段】
【０００８】
上記目的を達成するため、本発明の一態様は、アクティブ状態とスリープ状態とを有する低消費電力モードと、通常モードとを有する第１の通信機器と、第２の通信機器とを具備する通信システムであって、前記第１の通信機器は、前記低消費電力モードへ移行すること示す移行通知を前記第２の通信機器に送信する移行通知送信手段と、前記移行通知送信手段により前記移行通知の送信後、インターバル時間の間、前記スリープ状態に遷移させ、該インターバル時間経過後に前記アクティブ状態に遷移させる処理を繰り返し制御するモード制御手段とを具備し、前記第２の通信機器は、前記移行通知送信手段からの前記移行通知を受信した場合に、移行確認通知を前記第１の通信機器に対して送信する移行確認通知送信手段を具備し、前記移行通知送信手段は、前記移行通知の送信後、前記移行確認通知を受信しなかった場合、再度、前記移行通知を送信することを特徴とする。
【０００９】
また、本発明の一態様は、他の通信機器との間でデータを授受できるアクティブ状態と他の通信機器との間でデータを授受できないスリープ状態とを有する低消費電力モードと、通常モードとを有する通信機器であって、前記低消費電力モードへ移行すること示す移行通知を他の通信機器に送信する移行通知送信手段と、前記移行通知送信手段により前記移行通知の送信後、インターバル時間の間、前記スリープ状態に遷移させ、該インターバル時間経過後に前記アクティブ状態に遷移させる処理を繰り返し制御するモード制御手段とを具備し、前記移行通知送信手段は、前記移行通知の送信後、前記他の通信機器から移行確認通知を受信しなかった場合、再度、前記移行通知を送信することを特徴とする。
【００１０】
また、本発明の一態様は、他の通信機器との間でデータを授受できるアクティブ状態と他の通信機器との間でデータを授受できないスリープ状態とを有する低消費電力モードと、通常モードとを有する通信機器の通信方法であって、前記低消費電力モードへ移行すること示す移行通知を他の通信機器に送信する移行通知送信工程と、前記移行通知送信工程で前記移行通知の送信後、インターバル時間の間、前記スリープ状態に遷移させ、該インターバル時間経過後に前記アクティブ状態に遷移させる処理を繰り返し制御するモード制御工程と、前記移行通知の送信後、前記他の通信機器から移行確認通知を受信しなかった場合、再度、前記移行通知を送信する再送信工程とを含むことを特徴とする。
【００１１】
また、本発明の一態様によるプログラムは、他の通信機器との間でデータを授受できるアクティブ状態と他の通信機器との間でデータを授受できないスリープ状態とを有する低消費電力モードと、通常モードとを有する通信機器に内蔵されたコンピュータを、前記低消費電力モードへ移行すること示す移行通知を他の通信機器に送信する移行通知送信手段、前記移行通知送信手段により前記移行通知の送信後、インターバル時間の間、前記スリープ状態に遷移させ、該インターバル時間経過後に前記アクティブ状態に遷移させる処理を繰り返し制御するモード制御手段、前記移行通知の送信後、前記他の通信機器から移行確認通知を受信しなかった場合、再度、前記移行通知を送信する再送信手段として機能させる。
【発明の効果】
【００１２】
本発明によれば、本構成を有さない場合よりも、通信機器が低消費電力モードに移行したことを他の通信機器に認識させることができる。これにより、低消費電力モード移行後の通信に際して生じる通信エラーを抑制させることができる。
【発明を実施するための最良の形態】
【００１３】
以下、本発明に係わる通信システム、通信機器、通信方法及びプログラムの一実施の形態について添付図面を参照して詳細に説明する。
【００１４】
（実施形態１）
図１は、本発明の一実施の形態に係わる通信システムの構成の一例を示す図である。
【００１５】
通信システムは、第１の通信機器として機能するモバイル端末１０１と、第２の通信機器として機能する近接無線通信アダプタ１０２と、ディスプレイ１０４とを具備して構成される。ここで、モバイル端末１０１と近接無線通信アダプタ１０２との間は、例えば、近接無線通信１０３で接続されている。近接無線通信１０３には、例えば、電磁誘導を利用した非接触ＩＣカード無線通信やＮＦＣ（Near Field Communcation）、誘導電界を利用した通信などがある。
【００１６】
ディスプレイ１０４は、近接無線通信アダプタ１０２を介してモバイル端末１０１と通信する。ディスプレイ１０４と近接無線通信アダプタ１０２との間は、アダプタケーブル１０５で接続されている。
【００１７】
モバイル端末１０１は、動作モードとして、通常モード、低消費電力モードを有する。低消費電力モード時には、通常モード時よりも消費電力が低減される。詳細には、低消費電力モード時には、スリープ状態とアクティブ状態とが周期的に切り替えられる。スリープ状態時には、モバイル端末１０１は、例えば、ＣＰＵのクロックを低速に動作させ、無線部（後述する近接無線通信部２０２）への電源の供給を停止させる等する。これに対して、アクティブ状態時には、例えば、データを送受信等できるようにするため、通常の電力で動作する。
【００１８】
図２は、図１に示すモバイル端末１０１と近接無線通信アダプタ１０２とにおける機能的な構成の一例を示す図である。
【００１９】
２０１は、モバイル端末制御部であり、モバイル端末１０１の制御を行なう。モバイル端末制御部２０１は、例えば、ＣＰＵとメモリとを具備して構成される。モバイル端末１０１における各種動作は、ＣＰＵがメモリに格納されているプログラムを実行することにより行なわれる。
【００２０】
２０２は、近接無線通信部であり、近接無線通信１０３を行なう。２０３は、モード格納部であり、モバイル端末１０１のモード（本実施形態においては、通常モード、低消費電力モード）を示す情報を格納する。
【００２１】
２０４は、移行通知送信部であり、低消費電力モードに移行したことを示す低消費電力モード移行通知Ｍ５０１を近接無線通信アダプタ１０２に向けて送信する。この通知は、近接無線通信部２０２を介して近接無線通信アダプタ１０２に送信される。２０５は、近接無線通信制御部であり、近接無線通信部２０２を制御する。
【００２２】
２０６は、低消費電力モード制御部であり、低消費電力モード時の制御を行なう。２０７は、スリープ制御部であり、スリープ状態時の制御を行ない、２０８は、アクティブ制御部であり、アクティブ状態時の制御を行なう。スリープ制御部２０７では、モバイル端末１０１がスリープ状態にある場合、モバイル端末制御部２０１のＣＰＵのクロックを低速で動作させたり、近接無線通信部２０２への電源の供給を停止させたり等する。これにより、モバイル端末１０１の消費電力は、アクティブ状態時よりも低減される。
【００２３】
２０９は、状態格納部であり、モバイル端末１０１が低消費電力モードにある場合に、スリープ状態にあるかアクティブ状態にあるかを示す情報を格納する。２１０は、インターバル時間格納部であり、モバイル端末１０１がスリープ状態にある時間（遷移時間）を示すインターバル時間を格納する。モバイル端末１０１では、スリープ状態に遷移後、このインターバル時間を計時し、当該インターバル時間経過後、アクティブ状態に遷移する。アクティブ状態では、上述した通り、近接無線通信部２０２を介して通信相手先の機器（例えば、近接無線通信アダプタ１０２）と通信を行なうことができる。モバイル端末１０１は、一定時間アクティブ状態に遷移した後、再びスリープ状態に遷移する。
【００２４】
また、２１１は、近接無線通信アダプタ制御部であり、近接無線通信アダプタ１０２の制御を行なう。近接無線通信アダプタ制御部２１１は、例えば、ＣＰＵとメモリとを具備して構成される。近接無線通信アダプタ１０２における各種動作は、ＣＰＵがメモリに格納されているプログラムを実行することにより行なわれる。
【００２５】
２１２は、近接無線通信部であり、近接無線通信１０３を行なう。２１３は、インタフェース部であり、アダプタケーブル１０５を介して本体（本実施形態においては、ディスプレイ１０４）との通信を行なう。
【００２６】
２１４は、移行確認通知送信部であり、モバイル端末１０１から低消費電力モード移行通知を受信した場合に、その移行確認通知（低消費電力モード移行確認通知Ｍ５０２）をモバイル端末１０１に向けて送信する。この移行確認通知は、近接無線通信部２１２を介してモバイル端末１０１に送信される。
【００２７】
２１５は、近接無線通信制御部であり、近接無線通信部２１２を制御する。２１６は、インターバル時間格納部であり、モバイル端末１０１がスリープ状態にある時間を示すインターバル時間を格納する。２１７は、インタフェース制御部であり、インタフェース部２１３を制御する。
【００２８】
図３は、図１に示すモバイル端末１０１の動作の一例を示すフローチャートである。ここでは、モバイル端末１０１が通常モードから低消費電力モードに移行する際の動作を例に挙げて説明する。
【００２９】
低消費電力モードへの移行に際して、モバイル端末１０１は、まず、モード格納部２０３におけるモバイル端末１０１のモードを示す情報を通常モードから低消費電力モードに書き換える。そして、移行通知送信部２０４において、低消費電力モード移行通知Ｍ５０１（スリープ状態への移行の通知）を近接無線通信アダプタに１０２に向けて送信する（Ｓ３０２）。
【００３０】
低消費電力モード移行通知Ｍ５０１の送信後、モバイル端末１０１は、状態格納部２０９にスリープ状態を設定するとともに、スリープ制御部２０７の制御によりスリープ状態へ遷移する（Ｓ３０３）。
【００３１】
モバイル端末１０１は、スリープ状態になると、インターバル時間格納部２１０に格納されているインターバル時間を計時する。そして、インターバル時間が経過すると（Ｓ３０４でＹＥＳ）、モバイル端末１０１は、状態格納部２０９をアクティブ状態にして、アクティブ制御部２０８の制御によりアクティブ状態へ遷移する（Ｓ３０５）。なお、アクティブ状態に遷移後、モバイル端末１０１は、一定時間経過すると再びスリープ状態に遷移する。すなわち、モバイル端末１０１は、低消費電力モードの間、スリープ状態への遷移とアクティブ状態への遷移とを繰り返す。
【００３２】
ここで、アクティブ状態に遷移したモバイル端末１０１は、低消費電力モード移行確認通知Ｍ５０２を近接無線通信アダプタ１０２から受信したか否かを判定する（Ｓ３０６）。上述した通り、モバイル端末１０１においては、アクティブ状態でなければ低消費電力モード移行確認通知Ｍ５０２を受信できない。
【００３３】
この結果、低消費電力モード移行確認通知Ｍ５０２を受信した場合（Ｓ３０６でＹＥＳ）、モバイル端末１０１は、そのままスリープ状態に遷移する。受信していない場合（Ｓ３０６でＮＯ）、モバイル端末１０１は、Ｓ３０２の処理に戻り、低消費電力モード移行通知Ｍ５０１を再度送信した後、スリープ状態に遷移する。
【００３４】
図４は、図１に示す近接無線通信アダプタ１０２の動作の一例を示すフローチャートである。ここでは、モバイル端末１０１から低消費電力モード移行通知Ｍ５０１を受信する際の動作を例に挙げて説明する。
【００３５】
近接無線通信アダプタ１０２は、モバイル端末１０１から低消費電力モード移行通知Ｍ５０１を受信すると（Ｓ４０２でＹＥＳ）、インターバル時間格納部２１６に格納されているインターバル時間を計時する。上述したように、インターバル時間格納部２１６に格納されているインターバル時間は、モバイル端末１０１がスリープ状態にある時間を示す時間情報である。この時間を計時することにより、モバイル端末１０１と同期をとり、モバイル端末１０１がアクティブ状態にあるときに、低消費電力モード移行確認通知Ｍ５０２を送信できるようにする。
【００３６】
ここで、インターバル時間が経過すると、近接無線通信アダプタ１０２は、移行確認通知送信部２１４において、低消費電力モード移行確認通知Ｍ５０２をモバイル端末１０１に向けて送信する（Ｓ４０３）。
【００３７】
次に、図１に示すモバイル端末１０１と近接無線通信アダプタ１０２との間のメッセージの送受信の一例を示すシーケンス図について説明する。
【００３８】
図５は、近接無線通信アダプタ１０２において、モバイル端末１０１が送信した初回の低消費電力モード移行通知Ｍ５０１を受信した場合のシーケンスを示している。この場合、近接無線通信アダプタ１０２は、モバイル端末１０１が低消費電力モードに移行したことを移行直後に認識しているため、特に問題は生じない。
【００３９】
図６は、近接無線通信アダプタ１０２において、モバイル端末１０１が送信した初回の低消費電力モード移行通知Ｍ５０１を何らかの理由で受信できなかった場合のシーケンスを示している。この場合、近接無線通信アダプタ１０２は、モバイル端末１０１が低消費電力モードへ移行したことを認識していない。そのため、近接無線通信アダプタ１０２は、モバイル端末１０１がスリープ状態にあるにも拘わらず、データを送信してしまう可能性がある。しかし、モバイル端末１０１では、低消費電力モード移行確認通知Ｍ５０２を受信していないため、低消費電力モード移行通知Ｍ５０１を再度送信する。これにより、近接無線通信アダプタ１０２は、モバイル端末１０１が低消費電力モードへ移行したことを認識することができる。
【００４０】
図７は、モバイル端末１０１が低消費電力モードに移行後、アクティブ状態に所定回数（この場合、３回）遷移しても低消費電力モード移行確認通知Ｍ５０２を受信できなかった場合のシーケンスを示している。この場合、通信相手先の機器（例えば、近接無線通信アダプタ１０２）が近接無線通信の圏外にあること等が考えられる。そのため、モバイル端末１０１は、低消費電力モードを中止、若しくは通信相手先の機器との間の通信自体を中止する。低消費電力モード移行確認通知Ｍ５０２を利用して通信相手先の機器との間の接続状態を判断できることになる。
【００４１】
このようにモバイル端末１０１では、アクティブ状態への遷移が所定回数に達しても、低消費電力モード移行確認通知Ｍ５０２を受信できなかった場合は、低消費電力モード（スリープ状態への遷移）を中止するか、また、通信できないと判断し通信自体を中止する。この場合、通信できない相手にコマンドを送信することがなくなり、無駄な電力消費を抑制できる。また、通信の継続が困難な場合などは、通信リソースを開放するためリソースの有効活用が図れる。
【００４２】
以上説明したように実施形態１によれば、モバイル端末１０１が低消費電力モードに移行したことを近接無線通信アダプタ１０２側で認識できる可能性が高くなる。これにより、モバイル端末１０１がスリープ状態の期間中に近接無線通信アダプタ１０２がデータを送信してしまうことにより生じる通信エラーを回避することができるため、低消費電力モードでも確実に通信が行なえる。
【００４３】
また、モバイル端末１０１においては、低消費電力モード移行確認通知Ｍ５０２を受信したか否かに応じて低消費電力モード移行通知Ｍ５０１を再送信するか否かを選択的に行なう。そのため、近接無線通信アダプタ１０２において、低消費電力モードへの移行を認識しているにも拘わらず、低消費電力モード移行通知Ｍ５０１を再送信してしまう無駄を防止することができる。
【００４４】
また、モバイル端末１０１において、アクティブ状態に繰り返し遷移しても、低消費電力モード移行確認通知Ｍ５０２を受信できない場合には、低消費電力モードを中止、若しくは通信自体を中止する。これにより、無駄な電力消費を抑制できる。
【００４５】
なお、低消費電力モード移行通知Ｍ５０１にインターバル時間の情報を含めてもよい。この場合、近接無線通信アダプタ１０２において、モバイル端末１０１のインターバル時間を予め認識していない場合であっても、上述した処理を実施できることになる。また、このように構成した場合には、状況に応じてインターバル時間を可変にすることもできる。
【００４６】
（実施形態２）
次に、実施形態２について説明する。実施形態２においては、インターバル時間を２つ用いる場合について説明する。なお、実施形態２に係わるシステム構成や、装置構成は、実施形態１を説明した図１及び図２と同様となるので、その説明については省略する。ここでは、相違点を挙げて説明する。
【００４７】
まず、実施形態２に係わるインターバル時間について説明する。
【００４８】
モバイル端末１０１は、低消費電力モード移行後、近接無線通信アダプタ１０２から低消費電力モード移行確認通知Ｍ５０２が送られてくるまでの間、第１のインターバル時間（インターバル時間Ｔ１）を用いてスリープ状態とアクティブ状態とを切り替える。その後、モバイル端末１０１は、近接無線通信アダプタ１０２から低消費電力モード移行確認通知Ｍ５０２を受信すると、第２のインターバル時間（インターバル時間Ｔ２）を用いてスリープ状態とアクティブ状態とを切り替える。
【００４９】
ここで、インターバル時間Ｔ１とインターバル時間Ｔ２とには、それぞれ異なる時間が設定される。実施形態２においては、インターバル時間Ｔ２は、低消費電力モードにおける通常のインターバル時間が設定されており、インターバル時間Ｔ１は、インターバル時間Ｔ２よりも短い時間が設定されている。
【００５０】
これは、低消費電力モードへの移行を近接無線通信アダプタ１０２が認識していることをモバイル端末１０１側で確認できるまでの間は、短いインターバル時間Ｔ１を用いて低消費電力モード移行通知Ｍ５０１を早めに受信できるようにするためである。また、低消費電力モードへの移行を近接無線通信アダプタ１０２が認識していることをモバイル端末１０１側で確認できた場合には、長いインターバル時間Ｔ２に変更し、消費電力の低減を向上させるためである。
【００５１】
図８は、実施形態２に係わるモバイル端末１０１の動作の一例を示すフローチャートである。ここでは、モバイル端末１０１が通常モードから低消費電力モードに移行する際の動作を例に挙げて説明する。
【００５２】
低消費電力モードへの移行に際して、モバイル端末１０１は、まず、インターバル時間格納部２１０にインターバル時間Ｔ１を設定する（Ｓ８０１）。その後、モバイル端末１０１は、モード格納部２０３におけるモバイル端末１０１のモードを示す情報を通常モードから低消費電力モードに書き換える。そして、移行通知送信部２０４において、低消費電力モード移行通知Ｍ５０１を近接無線通信アダプタに１０２に向けて送信する（Ｓ８０３）。
【００５３】
低消費電力モード移行通知Ｍ５０１の送信後、モバイル端末１０１は、状態格納部２０９にスリープ状態を設定するとともに、スリープ制御部２０７の制御によりスリープ状態へ遷移する（Ｓ８０４）。
【００５４】
モバイル端末１０１は、スリープ状態になると、インターバル時間格納部２１０に格納されているインターバル時間Ｔ１を計時する。そして、インターバル時間Ｔ１が経過すると（Ｓ８０５でＹＥＳ）、モバイル端末１０１は、状態格納部２０９をアクティブ状態にして、アクティブ制御部２０８の制御によりアクティブ状態へ遷移する（Ｓ８０６）。なお、アクティブ状態に遷移後、モバイル端末１０１は、一定時間経過すると再びスリープ状態に遷移する。すなわち、モバイル端末１０１は、低消費電力モードの間、スリープ状態への遷移とアクティブ状態への遷移とを繰り返す。
【００５５】
ここで、アクティブ状態に遷移したモバイル端末１０１は、低消費電力モード移行確認通知Ｍ５０２を近接無線通信アダプタ１０２から受信したか否かを判定する（Ｓ８０７）。上述した通り、モバイル端末１０１においては、アクティブ状態でなければ低消費電力モード移行確認通知Ｍ５０２を受信できない。
【００５６】
この結果、低消費電力モード移行確認通知Ｍ５０２を受信した場合（Ｓ８０７でＹＥＳ）、モバイル端末１０１は、インターバル時間格納部２１０にインターバル時間Ｔ２を設定する（Ｓ８０８）。その後、モバイル端末１０１は、スリープ状態に遷移する（Ｓ８０９）。このとき、モバイル端末１０１では、インターバル時間格納部２１０に格納されているインターバル時間Ｔ２を計時する。
【００５７】
また、Ｓ８０７の処理の結果、低消費電力モード移行確認通知Ｍ５０２を受信していない場合（Ｓ８０７でＮＯ）、モバイル端末１０１は、Ｓ８０３の処理に戻り、低消費電力モード移行通知Ｍ５０１を再度送信した後、スリープ状態に遷移する。
【００５８】
図９は、実施形態２に係わるモバイル端末１０１と近接無線通信アダプタ１０２との間のメッセージの送受信の一例を示すシーケンス図について説明する。
【００５９】
近接無線通信アダプタ１０２において、モバイル端末１０１から低消費電力モード移行通知Ｍ５０１を受信した場合、インターバル時間格納部２１６にインターバル時間Ｔ１を格納する。そして、近接無線通信アダプタ１０２は、インターバル時間格納部２１６に格納されているインターバル時間Ｔ１経過後、移行確認通知送信部２１４において、低消費電力モード移行確認通知Ｍ５０２をモバイル端末１０１に向けて送信する。低消費電力モード移行確認通知Ｍ５０２送信後、近接無線通信アダプタ１０２は、インターバル時間格納部２１６にインターバル時間Ｔ２を格納し、インターバル時間Ｔ２を計時する。これにより、モバイル端末１０１と同期を取ってモバイル端末１０１との間で各種データの授受を行なう。
【００６０】
以上が、実施形態２に係わるモバイル端末１０１における動作、モバイル端末１０１と近接無線通信アダプタ１０２と間の処理シーケンスの一例についての説明である。なお、実施形態２に係わる近接無線通信アダプタ１０２における詳細な動作についての説明は省略する。
【００６１】
以上説明したように実施形態２によれば、実施形態１の効果に加えて、低消費電力モード移行通知Ｍ５０１が近接無線通信アダプタ１０２側で受信できなかった場合でも早めにリカバーが行える。また、モバイル端末１０１が低消費電力モードへ移行したことを近接無線通信アダプタ１０２が認識している場合、その認識していることをモバイル端末１０１側で確認できたときには、モバイル端末１０１は、長いインターバル時間を用いてスリープ状態を保つ。これにより、消費電力を一層低減させることができる。
【００６２】
なお、実施形態２においても実施形態１同様に、低消費電力モード移行通知Ｍ５０１にインターバル時間Ｔ１、Ｔ２の情報を含めてもよい。この場合、近接無線通信アダプタ１０２において、モバイル端末１０１のインターバル時間を予め認識していない場合であっても、上述した処理を実施できることになる。また、このように構成した場合には、状況に応じてインターバル時間を可変にすることもできる。
【００６３】
また、実施形態２においても実施形態１同様に、モバイル端末１０１において、アクティブ状態に繰り返し遷移しても、低消費電力モード移行確認通知Ｍ５０２を受信できない場合には、低消費電力モードを中止、若しくは、通信自体を中止するようにしてもよい。
【００６４】
以上が本発明の代表的な実施形態の一例であるが、本発明は、上記及び図面に示す実施形態に限定することなく、その要旨を変更しない範囲内で適宜変形して実施できるものである。
【００６５】
なお、本発明は、例えば、システム、装置、方法、プログラム若しくは記録媒体等としての実施態様を採ることもできる。具体的には、複数の機器から構成されるシステムに適用してもよいし、また、一つの機器からなる装置に適用してもよい。
【００６６】
また、本発明は、ソフトウェアのプログラムをシステム或いは装置に直接或いは遠隔から供給し、そのシステム或いは装置に内蔵されたコンピュータが該供給されたプログラムコードを読み出して実行することにより実施形態の機能が達成される場合をも含む。この場合、供給されるプログラムは実施形態で図に示したフローチャート及びシーケンスチャートに対応したコンピュータプログラムである。
【００６７】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳ（Operating System）に供給するスクリプトデータ等の形態であってもよい。
【００６８】
コンピュータプログラムを供給するためのコンピュータ読み取り可能な記録媒体としては以下が挙げられる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００６９】
その他、プログラムの供給方法としては、クライアントコンピュータのブラウザを用いてインターネットのウェブページに接続し、該ウェブページから本発明のコンピュータプログラムをハードディスク等の記録媒体にダウンロードすることが挙げられる。この場合、ダウンロードされるプログラムは、圧縮され自動インストール機能を含むファイルであってもよい。また、本発明のプログラムを構成するプログラムコードを複数のファイルに分割し、それぞれのファイルを異なるウェブページからダウンロードすることによっても実現可能である。つまり、本発明の機能処理をコンピュータで実現するためのプログラムファイルを複数のユーザに対してダウンロードさせるＷＷＷサーバも、本発明に含まれる。
【００７０】
また、本発明のプログラムを暗号化してＣＤ−ＲＯＭ等の記録媒体に格納してユーザに配布するという形態を採ることもできる。この場合、所定の条件をクリアしたユーザに、インターネットを介してウェブページから暗号を解く鍵情報をダウンロードさせ、その鍵情報を使用して暗号化されたプログラムを実行し、プログラムをコンピュータにインストールさせるようにもできる。
【００７１】
また、コンピュータが、読み出したプログラムを実行することによって、前述した実施形態の機能が実現される他、そのプログラムの指示に基づき、コンピュータ上で稼動しているＯＳなどとの協働で実施形態の機能が実現されてもよい。この場合、ＯＳなどが、実際の処理の一部或いは全部を行ない、その処理によって前述した実施形態の機能が実現される。
【００７２】
更に、記録媒体から読み出されたプログラムが、コンピュータに挿入された機能拡張ボードやコンピュータに接続された機能拡張ユニットに備わるメモリに書き込まれて前述の実施形態の機能の一部或いは全てが実現されてもよい。この場合、機能拡張ボードや機能拡張ユニットにプログラムが書き込まれた後、そのプログラムの指示に基づき、その機能拡張ボードや機能拡張ユニットに備わるＣＰＵ（Central Processing Unit）などが実際の処理の一部又は全部を行なう。
【図面の簡単な説明】
【００７３】
【図１】本発明の一実施の形態に係わる通信システムの構成の一例を示す図である。
【図２】図１に示すモバイル端末１０１と近接無線通信アダプタ１０２とにおける機能的な構成の一例を示す図である。
【図３】図１に示すモバイル端末１０１の動作の一例を示すフローチャートである。
【図４】図１に示す近接無線通信アダプタ１０２の動作の一例を示すフローチャートである。
【図５】図１に示すモバイル端末１０１と近接無線通信アダプタ１０２との間のメッセージの送受信の一例を示す第１のシーケンス図である。
【図６】図１に示すモバイル端末１０１と近接無線通信アダプタ１０２との間のメッセージの送受信の一例を示す第２のシーケンス図である。
【図７】図１に示すモバイル端末１０１と近接無線通信アダプタ１０２との間のメッセージの送受信の一例を示す第３のシーケンス図である。
【図８】実施形態２に係わるモバイル端末１０１の動作の一例を示すフローチャートである。
【図９】実施形態２に係わるモバイル端末１０１と近接無線通信アダプタ１０２との間のメッセージの送受信の一例を示すシーケンス図である。
【図１０】従来技術の一例を説明するための図である。
【符号の説明】
【００７４】
１０１    モバイル端末
１０２    近接無線通信アダプタ
１０４    ディスプレイ
１０５    アダプタケーブル
２０１    モバイル端末制御部
２０２、２１２    近接無線通信部
２０３    モード格納部
２０４    移行通知送信部
２０５、２１５    近接無線通信制御部
２０６    低消費電力モード制御部
２０７    スリープ制御部
２０８    アクティブ制御部
２０９    状態格納部
２１０、２１６    インターバル時間格納部
２１１    近接無線通信アダプタ制御部
２１３    インタフェース部
２１４    移行確認通知送信部
【図１】
2010098495.tif 000003
【図２】
2010098495.tif 000004
【図３】
2010098495.tif 000005
【図４】
2010098495.tif 000006
【図５】
2010098495.tif 000007
【図６】
2010098495.tif 000008
【図７】
2010098495.tif 000009
【図８】
2010098495.tif 000010
【図９】
2010098495.tif 000011
【図１０】
2010098495.tif 000012